(57)【要約】【課題】半田付けを必要としない、素線をまとめるのが簡易で確実な端子スリーブであって、引込配線の導線の外径と、計器の丸穴の内径の寸法差に応じて取り付けを可能にする端子スリーブを提供する。【解決手段】計器の丸穴内に形成された端子に接続される第一の電極部と、円筒状の第二の電極部であって該第二の電極の一端に導線を挿入するための開口部を有する凹部を備える第二の電極部と、を含み、前記凹部の側面は、前記第二の電極部の長手方向に伸びる円筒の側面状であり、前記第二の電極部の他端は、前記第一の電極部と電気的に接続している計器端子スリーブを提供する。本発明に係る計器端子スリーブにより、導線と端子が、導線の外径と端子の挿入口径の異同を問わず電気的に接続できる。【選択図】図１
2007294155.tif 000002
【特許請求の範囲】
【請求項１】
計器の丸穴内に形成された端子に接続される第一の電極部と、円筒状の第二の電極部であって該第二の電極部の一端に導線を挿入するための開口部を有する凹部を備える第二の電極部と、を含み、
前記凹部の側面は、前記第二の電極部の長手方向に伸びる円筒の側面状であり、
前記第二の電極部の他端は、前記第一の電極部と電気的に接続している計器端子スリーブ。
【請求項２】
前記第一の電極部は円筒状の形状を有し、前記第一の電極部の外径は、前記凹部の内径より小さい請求項１記載の計器端子スリーブ。
【請求項３】
前記計器は、前記第一の電極部が前記丸穴へ挿入される方向に直交する方向に挿入される留め具を有し、
前記第一の電極部は、該第一の電極部の少なくとも一部に底面が平らな凹所であって前記留め具の先端が係止する凹所を有する請求項１または２記載の計器端子スリーブ。
【請求項４】
さらに前記第二の電極部の表面を覆う弾性力のある絶縁体を含み、前記絶縁体は、前記表面から前記導線の反挿入方向に延出する請求項１から３いずれか記載の計器端子スリーブ。
【発明の詳細な説明】
【技術分野】
【０００１】
本発明は、計器の丸穴内に導線を挿入し、導線と計器の丸穴内に形成された端子とを電気的に接続させるための計器端子スリーブに関する。
【背景技術】
【０００２】
通常、屋内線は、複数の素線の束で構成された導線を絶縁体で被覆されている。作業者は、導線の先端部分を覆っている絶縁体を剥いて、導線の先端部分を露出させた後、導線の先端部分を計器の丸穴内に差し込んで、導線の先端部分と端子とを電気的に接続させる。
【０００３】
しかし、複数の素線は捻られて一つの導線を構成しているので、先端部分を構成する複数の導線のうちの一部の素線に作用する力の方向がその余の導線に作用する力の方向と異なると、その一部の素線は、その余の導線から引き離されてしまう。
【０００４】
したがって、導線の先端部分を計器の丸穴に挿入する際、各素線と丸穴との間の摩擦等により、素線が引き離されてしまい、一部の素線が丸穴の外にある状態となってしまうことがある。
【０００５】
そこで、複数の素線をまとめるため、半田付けの作業や、圧着スリーブが用いられている。特に、計器に接続するには、いわゆる半田付けと呼ばれる鉛や亜鉛などの金属を熱して、素線同士を融着させる方法が用いられている。
【０００６】
圧着スリーブを用いて素線をまとめる方法は、圧着スリーブの円筒状やキャップ状に複数の素線を挿入し、圧着スリーブを圧縮工具などで圧縮する。これにより、円筒状やキャップ状の中に複数の素線を収めることができる。そして、該素線を収めた圧着スリーブを計器の丸穴に挿入することにより、圧着スリーブ内の導線と、該丸穴内の端子と、を電気的に接続することができる。
【０００７】
しかしながら、圧着スリーブを使用し，計器用端子を締めつけ過ぎると後に計器の丸穴から抜く必要が生じた時に、圧着スリーブが計器の丸穴に密着して嵌合されているため、圧着スリーブが丸穴内に残ってしまう場合がある。
【０００８】
半田付け作業は、鉛、亜鉛等の半田と、半田及び導線を熱する工具（いわゆる半田ゴテ）とを必要とする。また、半田を素線に融着させるためには、作業者の熟練した技術も必要とする。そこで、半田付けをせずにスリーブ状の接続端子（スリーブ）に素線を挿入することができ、かつ、後に計器の丸穴からケーブルを抜く必要が生じてケーブルを計器の丸穴から抜いたとしても、スリーブが該丸穴内に残らない端子用のスリーブが求められていた。
【０００９】
ところで、電柱から各家庭に引き込んでいる引込線は、引込口配線に接続され、屋内線からコンセント等の電気の供給口を通じて電気が供給される。該屋内線は、電気を使用する最大需要容量（同時に使用する電気の最大容量（ｋＶＡ））に応じて、３０Ａ用、１２０Ａ用などの計器に設けられている。
【００１０】
また、上記の計器は単相３線式の計器が用いられることが多い。単相３線式とは配電方式の一つであり、３本のケーブルを用いて電気を供給する低圧配電方式である。単相２線式と比較すると、同じ電力を送るのに電線の量が少なくてすむ配電方式であり、５０ｋＶＡ以下の配線などに多く用いられている。
【００１１】
引込配線を引込口配線に接続するに当たって、最大需要量が６ｋＶＡ未満の場合には、３０Ａ用の計器で足りる。しかしながら、単相３線式の３０Ａ用の計器には、端子挿入口径が１４ｓｑ（ｍｍ２）までの端子しか差し込むことができない。引込配線の導線の外径が２２ｓｑ（ｍｍ２）のものがあるが、２２ｓｑの引込配線を３０Ａ用計器の端子に挿入することはできなかった。このため、引込配線の導線の外径が２２ｓｑ（ｍｍ２）である場合には、本来３０Ａ用の計器で足りるところ、２２ｓｑの導線を差込むことができる１２０Ａ用の計器を使用するという事態が生じている。
【００１２】
これは、従来の引込配線の導線の外径が、引込配線の挿入口である計器の丸穴の内径よりわずかに大きいことによるものであり、大型の１２０Ａ用計器を用いることで、資材のコストが上昇し、不要な大きさの計器箱を要するという問題があった。
【特許文献１】特開昭６２−１４７６６８号公報
【発明の開示】
【発明が解決しようとする課題】
【００１３】
本発明は、上記の状況に鑑みてなされたものであり、半田付けを必要としない、素線をまとめるのが簡易で確実な端子スリーブを提供することを目的とする。また、引込配線の導線の外径と、計器の丸穴の内径の寸法差に応じて取り付けを可能にする端子スリーブを提供することを目的とする。
【課題を解決するための手段】
【００１４】
本発明者は、上記課題を解決するために鋭意研究を重ねた。その結果、第一の電極部と、第二の電極部と、を有する計器端子スリーブであって、前記第二の電極部内に形成する凹部に導線を挿入して該第二の電極部を圧縮し、前記第一の電極部を計器の丸穴内に挿入することにより、導線と計器の丸穴内の端子とを電気的に接続する計器端子スリーブ及びその接続方法を見出し、本発明を完成するに至った。
【００１５】
（１）  計器の丸穴内に形成された端子に接続される第一の電極部と、円筒状の第二の電極部であって該第二の電極の一端に導線を挿入するための開口部を有する凹部を備える第二の電極部と、を含み、前記凹部の側面は、前記第二の電極部の長手方向に伸びる円筒の側面状であり、前記第二の電極部の他端は、前記第一の電極部と電気的に接続している計器端子スリーブ。
【００１６】
（１）の発明によれば、前記第二の電極部内に形成される凹部に導線を挿入し、前記第一の電極部を前記計器の前記丸穴内に挿入して前記端子と接続することで、導線と丸穴内の端子が電気的に接続される。また、前記第一の電極部の外径と前記第二の電極部の内径を適宜設定して前記計器端子スリーブを製作することにより、引込配線の導線の外径と、計器の丸穴の挿入口の内径とが同じである場合と異なる場合とであるかに関わらず使用できる計器端子スリーブが提供できる。
【００１７】
（２）  前記第一の電極部は円筒状の形状を有し、前記第一の電極部の外径は、前記凹部の内径より小さい（１）記載の計器端子スリーブ。
【００１８】
前記外径を前記内径より小さく変更することで、引込配線の導線の外径と計器の丸穴の挿入口の内径に差がある場合でも、本発明の計器端子スリーブによりケーブルと引込口配線とを接続することができる。
【００１９】
（３）  前記計器は、前記第一の電極部が前記丸穴へ挿入される方向に直交する方向に挿入される留め具を有し、前記第一の電極部は、該第一の電極部の少なくとも一部に底面が平らな凹所であって前記留め具の先端が係止する凹所を有する（１）または（２）記載の計器端子スリーブ。
【００２０】
前記計器の丸穴に前記第一の電極部を挿入し、前記留め具を前記丸穴内に挿入することで、前記計器の丸穴に挿入された前記第一の電極部が固定される。このため、前記第一の電極部が前記丸穴から抜け落ちることを防止できる。
【００２１】
前記第一の電極部の少なくとも一部に底面が平らな凹所を設けることにより、当該凹所を端子の留め具等で留める際に、留め具が固定しやすくなる。
【００２２】
（４）  さらに前記第二の電極部の表面を覆う弾性力のある絶縁体を含み、前記絶縁体は、前記表面から前記導線の反挿入方向に延出する請求項（１）から（３）いずれか記載の計器端子スリーブ。
【００２３】
前記第二の電極部の表面と、導線の被覆との接触部分を弾性力のある絶縁体で覆うことで、通電した導線が露出することを防ぐことができる。また、通電した導線は熱を帯びているが、絶縁体で覆うことで火災などの危険を減じることができる。
【００２４】
上述の計器端子スリーブと導線とは以下に示す方法で接続する。すなわち、計器端子スリーブと導線とを接続する接続方法は、前記第二の電極部に前記導線の先端部を挿入する挿入工程と、前記第二の電極部の表面であって前記凹部の内壁と前記導線とが接する範囲の前記表面を圧縮する圧縮工程と、前記丸穴内に前記第一の電極部を挿入し、前記端子と前記第一の電極部を電気的に接続する接続工程とを含む。
【００２５】
上述の接続方法は、さらに、前記計器は前記計器端子スリーブを留めるための留め具と、前記第一の電極部が前記丸穴へ挿入される方向に直交する方向に設けられる前記留め具を挿入するための留め具の受け穴と、を含むようにしてもよい。この場合、前記丸穴内に前記第一の電極部を挿入した後、前記留め具を前記留め具の受け穴へ挿入し、前記丸穴の内壁と前記留め具により前記第一の電極部を挟んで固定する。
【発明の効果】
【００２６】
本発明の計器端子スリーブによれば、次の効果が得られる。
第二の電極部に複数の素線を含む導線を挿入するための凹部が設けられているため、半田付けを必要とせずに導線を計器端子スリーブに挿入することができる。
【００２７】
また、計器の丸穴に挿入する第一の電極部と、導線を挿入する第二の電極部が電気的に接続されているため、計器端子スリーブを計器の丸穴に残さずに、第二の電極部を掴んで計器の丸穴から抜去することができる。
【００２８】
さらに、第一の電極部と第二の電極部は、これらの外径及び内径を適宜設定変更して作製することにより、ケーブルの外径と、計器の丸穴の挿入口の内径の寸法差に応じて取り付けを可能にする端子スリーブを提供できる。
【発明を実施するための最良の形態】
【００２９】
以下、本発明の実施形態について図面を参照しながら説明する。なお、各実施形態の説明において、共通するものについては同一の符号を付し、その説明を省略または簡略化する。また、以下の実施形態は本発明を限定するものではない。
【００３０】
＜第１実施形態＞
［計器端子スリーブの全体構成］
本発明における計器端子スリーブ１の縦断面図を図１（ｂ）に示す。計器端子スリーブ１は、第一の電極部２と第二の電極部３とを含む。第一の電極部２は、計器の丸穴に挿入できる形状を有する。第二の電極部３の一端３ａには、導線を挿入するための開口部が形成され、該開口部には第二の電極部３の内部に向けて伸びる凹部４が形成されている。第二の電極部３は円筒状であり、凹部４はこの円筒状の長手方向に沿っており、凹部４の内壁面は円筒の側面状の形状である。第二の電極部の他端３ｂは、第一の電極部２と電気的に接続している。本発明における計器端子スリーブが、計器の丸穴に挿入された状態の説明図を図４から図６に示す。
【００３１】
［スリーブ］
第１実施形態における計器端子スリーブ１の上面図を図１（ａ）に、底面図を図１（ｃ）に示す。本実施形態においては第一の電極部２の外径ｄ１は、第二の電極部の内径ｄ２より小さい。
【００３２】
第一の電極部２と第二の電極部３は導電性を有する。第一の電極部２と第二の電極部３は、導線性を有する物質で構成されれば金属に限られず、銅、すず、その他合成金属または導電性のセラミックス、ガラス、樹脂など従来公知のものであってもよい。
【００３３】
第一の電極部２は、計器の丸穴内に挿入できる形状を有する。また、第一の電極部２は、上述したように導電性の物質であれば円筒状の形状であってもよく、また、円柱状の形状であってもよい。第一の電極部内の空洞５は適宜変更可能である。円筒状であれば中心が空洞となるため、軽量化できる。円柱状であれば、第一の電極部を製造する際に中心を空洞にする工程が不要となるため、製造工程が簡略化できる。
【００３４】
第一の電極部２を円筒状とする場合、第一の電極部２の先端に、前記厚みＴ１の表面側より内壁側へ前記円筒状の中心に向かって傾斜するように面取りを行っても良い。面取りによって前記丸穴内にある突起状の端子にスムーズに嵌合させることが可能となる。
【００３５】
計器端子スリーブ１は、第一の電極部２の長さＬ１を３０ｍｍ、第二の電極部３の長さＬ２を２０ｍｍとしてよい。Ｌ１の寸法によれば、第一の電極部２が３０Ａ用の計器の丸穴に収容することができる。
【００３６】
Ｌ２の寸法は、ケーブル１０の絶縁体８から露出する導線９の束を容易に第二の電極部３内の凹部４に収容することができ、また圧縮位置として適当な部分を圧縮することが可能となる。第二の電極部３の長さＬ２のうち、他端３ｂ近傍の内部には、凹部４が形成されていないため、圧縮しても導線と接続することができない。また、他端３ｂからあまりに離れた位置で圧縮を行うと、凹部４内の、圧縮した位置から他端３ｂまでの空間で導線と凹部４との接触が安定しなくなるおそれがある。
【００３７】
計器端子スリーブ１の第一の電極部２と第二の電極部３の外径及び内径は適宜変更可能である。第二の電極部３の外径ｄ３は７．５ｍｍとしてよい。第二の電極部における凹部４の、表面と内壁の間の厚みＴ２は１ｍｍとしてよい。この寸法は、外径が２２ｓｑの電気の引込配線に適合する。
【００３８】
第一の電極部２は、外径ｄ１を４．４ｍｍとする円筒状に作製してよい。第一の電極部の外径と内径の間の厚みＴ１を１ｍｍとすると、第一の電極部２の内径は２．４ｍｍとなる。
【００３９】
上記のように作製した計器端子スリーブは、外径が２２ｓｑの引込配線の導線を第二の電極部３の凹部４に挿入し、３０Ａ用計器の１４ｓｑの丸穴内に挿入することが可能となる。また、半田を使用することなく、径の異なるケーブルと端子を接続することが可能となる。
【００４０】
［導線］
本明細書において導線９とは、二以上の導電性の素線１７を含む。導線９は、絶縁体８に覆われている。ケーブル１０は、導線９と絶縁体８を含む。本発明の実施形態において、ケーブル１０は電気の引込配線である。ケーブル１０の先端において絶縁体８の被覆を削った導線９の長さ寸法は、凹部４の深さ寸法より短い。凹部４に挿入される導線９は、凹部４の内径に嵌合し得る太さの少なくとも二以上の素線１７を含む。
【００４１】
［計器］
計器１６は丸穴１３内に電極１４を有し、導線と電気的に接続する計器であれば、特に限定されない。丸穴１３の内径は、１４ｓｑの導線が挿入可能な寸法であるが、これに限られない。
【００４２】
計器１６の丸穴１３の内壁は、丸穴１３に第一の電極部２を挿入することにより、第一の電極部２と丸穴１３内の電極１４が電気的に接続される電極１４を含む。
【００４３】
計器１６は、留め具１２と、計器１６の外部から第一の電極部２が丸穴１３へ挿入される方向に直交する方向に、留め具１２を差し込むための留め具１２を受ける穴１５と、を含んでよい。留め具１２はねじであってよく、穴１５はねじの受け側であってよいが、これに限られない。留め具１２はねじ等の従来公知のものを使用してよい。また、留め具１２の数は特に限られず、複数あってよい。
【００４４】
計器１６が電気の引込口配線用の計器１６である場合には、計器１６の丸穴１３内の中心に円筒状の突起を有しているため、該突起に嵌合するよう第一の電極部２は円筒状に形成されることが好ましい。該引込口配線は、電気を使用する最大需要容量に応じて、３０Ａ用、１２０Ａ用などの計器に設けられている。
【００４５】
また、計器は単相３線式の計器であってよい。単相３線式とは配電方式の一つであり、３本のケーブルを用いて電気を供給する低圧配電方式である。単相２線式と比較すると、同じ電力を送るのに電線の量が少なくてすむ配電方式であり、５０ｋＶＡ以下の配線などに多く用いられている。
【００４６】
［導線の接続方法］
＜圧縮工程＞
図２は計器端子スリーブ１の接続方法を示す図である。図２（ａ）は計器端子スリーブ１の凹部４に導線９を挿入する工程の説明図である。導線９と第二の電極部３との接続方法は、第二の電極部３内に形成されている凹部４の内壁と導線９とが接する範囲における第二の電極部３の表面を、圧縮ペンチや圧縮工具等従来公知の工具で圧縮する。圧縮する工程の縦断面図を図２（ｂ）に示す。圧縮は、複数個所行ってよい。
【００４７】
圧縮ペンチにて第二の電極部を圧縮する。圧縮ペンチは泉精器製ＥＨ−２Ｎや、ＦＣＩ製のＭＹ−１０８を使用できるがこれに限られない。
【００４８】
第二の電極部３内に形成されている凹部４の内壁と導線９とが接する範囲における第二の電極部３の表面上において、一端３ａ側と他端３ｂ側との二箇所を着色してもよい。該着色部を圧縮すればよいことが一見して理解されるため、圧縮作業が容易になる。
【００４９】
＜結線工程＞
上記の圧縮工程を行ってケーブルと計器端子スリーブ１を接続した後、計器端子スリーブ１の第一の電極部２を計器１６の丸穴１３に挿入する。
【００５０】
第一の電極部２を丸穴１３に挿入後、留め具１２を、留め具の受け穴１５に挿入する。丸穴１３内の一方の内壁と、留め具により、第一の電極部２を挟んで固定する。図３に計器端子スリーブ１を留め具１２で留めた状態の縦断面図を示す。
【００５１】
本実施形態によれば、引込配線の導線の外径と計器の丸穴の内径の大きさが異なっており、前記引込配線の導線の外径が前記丸穴の内径よりも大きい場合でも、計器端子スリーブ１を使用することにより、引込配線と計器の丸穴１３とを電気的に接続することができる。
【００５２】
また、第二の電極部３は後に圧縮工具等で圧縮されることによって導線９と通電するため、半田付けの工程を必要としない。
【００５３】
さらに、第二の電極部３は第一の電極部２と一体的に繋がって電気的に接続しているため、後に計器端子スリーブ１を前記丸穴１３から抜く必要が生じた際にも、計器端子スリーブ１が丸穴１３に残るという問題が生じない。
【００５４】
＜第２実施形態＞
第二実施形態における計器端子スリーブを図７に示す。図７は、第一の電極部の外径ｄ１と第二の電極部の内径ｄ２が同径の計器端子スリーブ１を示す。同径にすることによって、計器端子スリーブは、ケーブルの計器端子アダプタの役割を果たすことができる。第二の電極部３は後に圧縮工具等で圧縮されることによって導線９と通電するため、半田付けの工程を必要としない。また、第二の電極部３は第一の電極部２と一体的に繋がって電気的に接続しているため、後に導線を計器の丸穴から抜く必要が生じた際にも、計器端子スリーブ１が計器の丸穴１３に残るという問題がない。本実施形態における他の構成は、第一実施形態と同様である。
【００５５】
＜第３実施形態＞
第３実施形態における計器端子スリーブの上面図を図８に、縦断面図を図９に示す。本実施形態における第一の電極部は、その少なくとも一部に、底面が平らな凹所６を有している。本発明における計器端子スリーブ１は、計器の丸穴１３に差込み、これを端子の留め具１２にて留めるものである。留め具１２は、計器１６内に、第一の電極部２が丸穴１３へ挿入される方向に直交する方向に設けられる留め具を受ける穴１５に挿入する。留め具は、計器の丸穴１３内の、電極１４に接する一方の内壁と留め具１２で第一の電極部２を挟むように留められる。ここで、第一の電極部２の一部は、底面が平らな凹所６となっているため、留め具１２が計器端子スリーブ１に安定して接触し、固定が容易となる。
【００５６】
第一の電極部２は、計器の丸穴１３に挿入すると、計器の外部からは目視することができない（図９参照）。このため、第一の電極部２に底面が平らな凹所６を有していても、この凹所６が、留め具１２が接触できるように計器の丸穴１３内の一方の内壁に相対する方向に位置しているかどうか、第一の電極部２を計器の丸穴１３に挿入後は確認することができない。したがって、本実施形態における計器端子スリーブ１を計器の丸穴１３に挿入した際に、計器の外部から前記底面の平らな凹所６の位置を推測できるよう、計器の丸穴１３に挿入されない第二の電極部３の表面に印７をつけてもよい（図８参照）。印の形状は特に限定されない。
【００５７】
印７は、第二の電極部３の表面であって底面が平らな凹所６から前記導線の挿入方向Ｘと反対方向に平行に伸ばした仮想上の直線上の該表面に付することが好ましい。印７は、第二の電極部３に塗料を固着できる方法であれば従来公知の方法で付してよく、例えば油性、樹脂性の着色材を用いてよい。本実施形態における他の構成は、第一実施形態と同様である。
【００５８】
＜第４実施形態＞
第４実施形態における計器端子スリーブの断面図を図１０に示す。第一の電極部２と第二の電極部３はＬ字状に接続されてよい。また、第一の電極部は円筒状であってもよく、円柱状であってもよい。第一の電極部２と第二の電極部３が接続される形状は、これらの電極部２及び３が導電性であるため適宜変更できる。計器の丸穴とケーブルを配線する場所との位置関係によっては、端子スリーブがＬ字状に形成されていることによって、導線を凹部４に挿入する方向を変更することができ、便宜である。本実施形態における他の構成は、第一実施形態と同様である。
【００５９】
＜第５実施形態＞
第５実施形態における計器端子スリーブ１の縦断面図を図１１に示す。計器端子スリーブ１は、第二の電極部３を覆う弾性力のある絶縁体である被覆１１を有している。被覆１１は、導線９を凹部４に挿入する挿入方向Ｘと反対の反挿入方向に延出しているため、導線９の絶縁体８の表面の一部をも覆う。第二の電極部３と、第二の電極部３とケーブル１０が接触する部分近傍は、電気の引込線から流れる電流の充電部となる。
【００６０】
なお、第４実施形態において記載したように、第一と第二の電極部２、３の接続方向を変更することによって、導線の挿入方向は変更可能であるが、図９及び１１に示す矢印方向Ｘを本明細書における導線の挿入方向とする。
【００６１】
上記の充電部は、そのままでは作業者や計器周辺に近寄る人間に感電の危険性が生じる。このため、充電部は弾力性のある絶縁体によって被覆することが好ましい。該被覆により、感電の危険性を減ずることができる。弾力性のある絶縁体で覆うとは、例えばゴムや絶縁性の樹脂製のビニルテープ等で上記の充電部を巻いてもよいがこれに限られない。本実施形態における計器端子スリーブ１の全体構成は第１実施形態と同様である。
【図面の簡単な説明】
【００６２】
【図１】第１実施形態における計器端子スリーブを示す図であり、（ａ）図は上面図、（ｂ）図は縦断面図、（ｃ）図は底面図である。
【図２】第１実施形態における計器端子スリーブの接続工程を示す工程図であり、（ａ）は導線の挿入の工程図、（ｂ）は圧縮の工程図である。
【図３】第１実施形態における計器端子スリーブを留め具で留めた状態の縦断面図である。
【図４】本発明における計器端子スリーブの使用の一例を示す説明図である。
【図５】本発明における計器端子スリーブの使用の一例を示す正面図である。
【図６】本発明における計器端子スリーブの使用の一例を示す斜視図である。
【図７】第２実施形態における計器端子スリーブ１の縦断面である。
【図８】第３実施形態における印を付した計器端子スリーブの上面図である。
【図９】第３実施形態における計器端子スリーブ１の縦断面図である。
【図１０】第４実施形態における計器端子スリーブの断面図である。
【図１１】第５実施形態における計器端子スリーブの縦断面図である。
【符号の説明】
【００６３】
１  計器端子スリーブ
２  第一の電極部
３  第二の電極部
４  凹部
５  第一の電極部内の空洞
６  底面が平らな凹所
７  印
８  絶縁体
９  導線
１０  ケーブル
１１  被覆
１２  留め具
１３  丸穴
１４  電極
１５  留め具の受け穴
１６  計器
１７  素線
ｄ１  第一の電極部の外径
ｄ２  第二の電極部の内径
ｄ３  第二の電極部の外径
Ｔ１  厚み
Ｔ２  厚み
【図１】
2007294155.tif 000003
【図２】
2007294155.tif 000004
【図３】
2007294155.tif 000005
【図４】
2007294155.tif 000006
【図５】
2007294155.tif 000007
【図６】
2007294155.tif 000008
【図７】
2007294155.tif 000009
【図８】
2007294155.tif 000010
【図９】
2007294155.tif 000011
【図１０】
2007294155.tif 000012
【図１１】
2007294155.tif 000013